(57)【要約】      （修正有）【課題】電気工事において天井内ケーブル配線に使用することで、今迄不可能だった距離の配線が可能となり安全施工と時間短縮及びケーブル節約につながる配線補助装置を提供する。【解決手段】配線用リード線吹出し装置は、吹き矢筒に吹き矢を入れ吹き口から吹き矢を飛ばすことでリード線を運ぶ装置で、リード線付吹き矢を正確に遠くまで飛ばすための、リ−ド線導入部の前後にそれぞれ吹き矢筒を差し込む差込口、吹き口を差し込む差込口を設け、導入部の筒外から筒内にリード線を入れ込むためのリ−ド線導込口を設け、リード線を筒内にスムーズに送り込むためのリード線導入溝を、さらに導入溝にリード線を縺れずに引き入れるためのラッパ状リード線受け部を設けたリード線導入部で、必要な長さのリード線を準備し一端をラッパ状リード線受け部に通し導入溝に入れ込み導入口から筒内に入れ吹き矢差込口から取り出すことで飛距離を得ることができる。【選択図】図１
0003153256.tif 000002
【実用新案登録請求の範囲】
【請求項１】
考案の配線用リード線吹出し装置は、吹き矢筒にリード線を備えた吹き矢を挿入し、筒先を目的方向に向け、筒口に口を当て息を吹き込み吹き矢を飛ばすことで目的の位置にリード線を運ぶもので、吹き矢筒、吹き口、リード線付吹き矢、リード線を筒内に入れ込むためのリード線導入部、およびリード線を導入部を介し筒内にスムーズに取り込むためのラッパ状リード線受け部から構成されたことを特徴とする配線用リード線吹出し装置。
【請求項２】
配線用リード線吹出し装置の要となるのがリード線導入部で、導入部の前後に吹き矢筒と吹き口が脱着可能な差込口を設け、導入部の筒壁外側から筒内にリード線を入れ込む導入口を設け、リード線をスムーズに筒内に注入するため導入口からリード線導入溝が設けられている、さらに導入溝のリード線受け口側に、引き込まれたリード線を縺れること無く導入溝に送り込むための、ラッパ状リード線受け部を脱着可能とする差込口を設けたリード線導入部で、諸部材をリード線導入部差込口に差し込むことで構成されたことを特徴とする請求項１記載の配線用リード線吹出し装置。
【考案の詳細な説明】
【技術分野】
【０００１】
本考案は、主に天井内のケーブル配線工事で使用する配線補助装置に関するものです。
【背景技術】
【０００２】
電気配線工事で、狭く暗く汚く障害物は多く危険度も高い天井内でのケーブル配線工事において配線距離が短い場合の配線工具は有るが距離が長くなると適当な工具がなく、危険を伴う工事になったりルート変更を余儀なくされたり天井に作業用開口を作ったりと、材料と施工時間のロスにつながりと苦労が多かったことから、安全施工、材料の節約、時間短縮を目的とした配線用リード線吹出し装置に関するもの。
【０００３】
天井内配線工具として、竿型の棒を伸ばして先端に付いている金具でケーブルを掛ける工具や、細い短棒をつなぎ合わせながら伸ばしていく工具は有るが、伸ばせば伸ばすほど手元に重量が加わる又先端が放物線状に下がり天井材に当たりと、思うような操作が出来ない。
【先行技術文献】
【特許文献】
【０００４】
【特許文献１】特開２００２−３００７０７号公報
【考案の開示】
【考案が解決しようとする課題】
【０００５】
天井内でのケーブル配線用工具は配線距離が短い場合は、竿型の棒を伸ばして引っ掛ける工具は有るが、配線距離が長くなるとこの様な棒状の工具では限界があり、他には配線工具がない。
【課題を解決するための手段】
【０００６】
天井内の狭く障害物等の多い場所での配線工事では、長い配線距離の場合竿型や棒状のものでは限界がある事から、紐におもりを付け目的方向に投げ、紐にケーブルを付け引き戻す方法で配線を行うことから考え、最小の動作で正確に出来るだけ遠くに配線する必要があるため、リード線を吹き矢に付け吹き矢筒に入れ口で吹き、矢を吹き飛ばしリード線を運ぶことで配線する配線用リード線吹出し装置で解決できた。
【０００７】
配線用リード線を遠くに正確に送り飛ばすためのリード線導入部は、導入部の前後に吹き矢筒と吹き口が脱着可能な差込口と、導入部の筒外壁から筒内にリード線を差し入れるためのリード線導入口を設け、リード線を導入口にスムーズに入れるためのリード線導入溝を設ける、さらに導入口と反対側の導入溝にリード線を受け入れ易くする、ラッパ状リード線受け部が脱着可能な差込口を要したリード線導入部で、配線に必要な長さのリード線を準備し、一端をラッパ状リード線受け部に通し導入溝に入れ導入口より筒内に通し吹き矢筒差込口より引出す、リード線を備えた吹き矢のリード線につなぎ吹き矢を吹き矢筒に差込む、吹き矢筒を吹き矢筒差込口に差込みリード線の別端を縺れ無いように床に広げておく、吹き矢筒先端を目標に向け装置を手で支持し吹き口に口を当て息を吹き込むことで吹き矢を飛ばしリード線を運ぶことで長い距離でのケーブル配線が可能となる。
【考案の効果】
【０００８】
本考案の配線用リード線吹出し装置は、電気工事において天井内ケーブル配線に使用することで、今迄不可能だった距離の配線が可能となり安全施工と時間短縮及びケ−ブル節約につながる。
【考案を実施するための最良の形態】
【０００９】
天井内の狭く障害物の多く危険な場所での困難なケーブル配線工事で、配線用リード線吹出し装置の吹き矢筒の先端が入るスペースさえ有れば、目標に向け使用することで配線が可能に成る。
【実施例１】
【００１０】
図１は、配線用リード線吹出し装置全体側面図及びリード線付吹き矢セット状況
【００１１】
図２は、配線用リード線吹出し装置正面図。
【００１２】
図３は、配線用リード線吹出し装置解体図。
【００１３】
図４は、配線用リード線吹出し装置実施状況図。
【産業上の利用可能性】
【００１４】
本考案は、電気配線工事の天井内ケーブル配線で使用することで、安全施工、材料の節約、時間短縮ができる。
【００１５】
装置は、単純な構造で操作も簡単その分故障率も少ない、また吹き矢は紙製で可能でリード線も細く丈夫で使ってみて効果的な紐であれば利用できる、コストが掛からないため失敗しても何度も挑戦できる。
【００１６】
適当な的を置き、リード線を付けず吹き矢だけを吹き飛ばし的に当てて遊ぶ、吹き矢ゲームとして楽しめる。
【図面の簡単な説明】
【００１７】
【図１】図１は、配線用リード線吹出し装置全体の説明図である。
【図２】図２は、配線用リード線吹出し装置の吹出し口側から見た説明図である。
【図３】図３は、配線用リード線吹出し装置リード線導入部断面構造図及びパーツ詳細図である。。
【図４】図４は、配線用リード線吹出し装置の使用状態を示す図である。
【符号の説明】
【００１８】
１    配線用リード線吹き出し装置
２    リード線導入部
３    吹き矢筒Ａ
４    吹き矢筒Ｂ
５    吹き口
６    リード線付吹き矢
７    リード線導入口
８    リード線導入溝
９    ラッパ状リード線受け部
１０    リード線
２ａ  吹き矢筒用差込口
２ｂ  吹き口用差込口
２ｃ  ラッパ状リード線受け具用差込口
４ａ  吹き矢筒Ａ用差込口  
１５    シート押さえローラー
１６    シート受けローラー
【図１】
0003153256.tif 000003
【図２】
0003153256.tif 000004
【図３】
0003153256.tif 000005
【図４】
0003153256.tif 000006